(57)【特許請求の範囲】
【請求項１】
ラッチとストライカを少なくとも有し、ラッチとストライカとの噛合いを維持させたままラッゲージパネルをボデイに対し開閉可能とさせるロック装置において、該ロック装置がラッゲージパネル側に支持されたストライカを覆いかつ進入方向に開口したケーシングと、ボデイ側に支持されかつ該ストライカと噛合自在なラッチおよびラッチと協働するポールとを少なくとも納めるハウジングとを備え、ケーシングが対向する壁部と各壁部に設けた係合溝とを有し、ハウジングが係合溝と係合する翼部を有し、ラッゲージパネルの開閉動作中係合溝と翼部とが係合していることを特徴とするロック装置。
【請求項２】
ハウジングがベースプレートとカバープレートとからなり、一方のプレートの側部をカールして翼部を形成する請求項１記載のロック装置。
【請求項３】
ハウジングを合成樹脂で形成した請求項１記載のロック装置。
【請求項４】
ストライカの進入路中に、ハウジングに固定されたストッパゴムを配した請求項１又は２記載のロック装置。
【発明の詳細な説明】
【０００１】
【発明の属する技術分野】
本発明は、ロック装置に関する。
【０００２】
【従来の技術】
ルーフパネル（屋根部分）とリヤウインド（後部窓部）とをラッゲージスペース（トランクルーム）内に格納自在としたオープンカー等のコンバーチブル車は広く知られている。この種の車両は、図６に示すように、ルーフパネル１、リヤウインド２、パッケージトレイ３、ラッゲージパネル４の動きが確保されている。
【０００３】
図６の（ａ）は、ルーフパネル１、リヤウインド２が閉位置にある状態を示し、この閉位置を、開位置を示す図６の（ｅ）の状態にさせるには、先ず、リヤウインドガラス２を起立且つ後方へと倒伏させ、リヤウインドガラス２に連結されたルーフパネル１をその姿勢を略水平に保ったまま後方へと移動させる。この際、ラッゲージパネル４を枢支点５を中心に前方開きとさせる（図６の（ｂ））参照）。
リヤウインド２の引き続く後方への倒伏は、パッケージトレイ３と後方へ移動するルーフパネル１との干渉を招くので、図６の（ｃ）に示すように、パッケージトレイ３を前方へ起立させ、ルーフパネル１とパッケージトレイ３との干渉を防止させる。
【０００４】
図６の（ｃ）の状態でルーフパネル１とリヤウインド２とをラッゲージスペース６内に格納させ、次いで、パッケージトレイ３のスライドボード７を後方へ引き出す（図６の（ｄ）参照）。
ルーフパネル１とリヤウインド２のラッゲージスペース６内への格納を確認した後にラッゲージパネル４を全閉とさせる（図６の（ｅ）参照）。
【０００５】
図６の（ｅ）のオープン即ち全開から図６の（ａ）の全閉の状態とさせるには、前述した動作の逆をなせば良い。
図６の（ａ）のルーフ全閉状態で、ラッゲージスペース６内へ荷物を入れるには、ラッゲージパネル４とボデイとのロックを解除して、ラッゲージパネル４を後開きとさせるようその後部を持ち上げれば良い。
【０００６】
前述したルーフパネル及びラッゲージパネルの動きの例は、特開平８−２３０４８４号公報に、パッケージトレイの動きの例は、ドイツ特許第４４４６４８３号明細書に開示される。この公知例では、車両後部のラッゲージスペース内に略Ｕ字状の補助枠を配し、この補助枠の対向脚部の端部に支持板を固定させ、ラッゲージパネルを揺動平行四辺形リンク機構を介して支持板に保持し、このリンク機構によりラッゲージパネルの後開きを可能とさせている。
ラッゲージパネルの前開きは、車幅方向に延在する補助枠の支持管を中心としてラッゲージパネルを支持板及び揺動平行四辺形リンク機構ごと液圧シリンダの助勢力の下で回動させることで行なわれる。尚、この際、ラッゲージパネルの後部は、ロック装置により補助枠の支持管にロックされている。
【０００７】
【発明が解決しようとする課題】
前述した如く、コンバーチブル車では、オープンカーとするため、ラッゲージパネルを前開きとし、ルーフパネルとリヤウインドをラッゲージスペースに格納し、その後、ラッゲージパネルを閉状態とさせる。この作業の間、ラッゲージパネルの後部は、ロック装置を用いて車両のボデイにロックされる。
【０００８】
図４と図５に示すように、ロック装置８は、ベース板９にその一端を枢支させたポール１０と、ポール１０の段部１１に係合自在な爪部１２を有しかつベース板９に枢支されたラッチ１３とを有す。ラッチ１３はストライカ１４を受ける溝１５を有し、ポール１０にスプリング１６を介して結合される構造となっている。
ラッゲージパネルに固定されたストライカ１４が溝１５内へ進入すると、ストライカ１４がラッチ１３を反時計方向に回動させて、爪部１２を段部１１に係合させ、図４のアンロック状態から図５のロック状態を作り、ラッゲージパネルをボデイに固定させる。
【０００９】
ロック状態を解除し、ラッゲージパネルの後開きを可能とさせるには、キー操作によりモータＭを動作させ、ポール１０の自由端の突片１７をＡ方向に押すか、ハンドル操作によりロック解除部材１８を突片１７に当接させ、これをＡ方向に押して、ポール１０をスプリング１６の付勢力に抗して移動させて、ポール１０の段部１１とラッチ１３の爪部１２との係合を解除させ、ラッチ１３を図４のアンロック位置へと移動させればよい。
【００１０】
ところで、ラッゲージパネルの回動中心と、ロック装置のストライカとラッチの係合点とは一致しないことから、ラッゲージパネルの前開き中、ストライカとラッチとの係合部に滑りが生じ、又、ラッゲージパネルの駆動力やラッゲージパネルの自重によるストライカとラッチとの係合部への負荷変化により、ストライカとラッチとの係合部に滑りが生じ、ラッゲージパネルの前開き軌跡が一定とならない不具合が生じ、場合によっては、ラッゲージパネルがボデイ等と干渉することになる。
加えて、ラッゲージパネルの前開き中の左右の動きのずれや、振動、予期しない外力等により、前述した不具合が助長させられる。
【００１１】
それ故に、本発明は、前述した従来技術の不具合を解消させることを解決すべき課題とする。
【００１２】
【課題を解決するための手段】
本発明は、前述した課題を解決するために、基本的には、ストライカの両側に壁部を有するケーシングと、ポールとラッチを納めるハウジングとを、ラッゲージパネルの閉時、互いに係合関係とさせる技術的手段を用いる。
この手段の採用は、ラッゲージパネルの前方開閉動作中、ラッゲージパネルの回動軌跡を一定とさせ、ラッゲージパネルの前後方向の移動を防止し、又、ケーシングとハウジングとの係合はラッゲージパネルへのこじり力の印加に対する抑制の働きをする。
【００１３】
具体的には、本発明は、ラッチとストライカを少なくとも有し、ラッチとストライカとの噛合いを維持させたままラッゲージパネルをボデイに対し開閉可能とさせるロック装置において、該ロック装置がラッゲージパネル側に支持されたストライカを覆いかつ進入方向に開口したケーシングと、ボデイ側に支持されかつ該ストライカと噛合自在なラッチおよびラッチと協働するポールとを少なくとも納めるハウジングとを備え、ケーシングが対向する壁部と各壁部に設けた係合溝とを有し、ハウジングが係合溝と係合する翼部を有し、ラッゲージパネルの開閉動作中係合溝と翼部とが係合していることを特徴とするロック装置を提供する。
【００１４】
【発明の実施の形態】
ラッゲージパネルの後部に固定されるストライカ１４は、進入方向に開口したケーシング１９内に納められる。ケーシング１９は、進入方向に沿う対向壁部２０，２０を有する逆Ｕ字状をなし、その壁部２０，２０は下方に開口した係合溝２１，２１を有す。
一方、図４と図５に示すポール１０とラッチ１３を収容したハウジング２２は、スチール又は硬質合成樹脂よりなり、ストライカ１４を受ける開口２３に加えて、その左右両側より側方に延出する翼部２４，２４を有す。翼部２４，２４は壁部２０，２０の係合溝２１，２１と係合する。
【００１５】
ラッゲージパネルの前開閉操作中、ストライカ１４はロック装置のラッチ１３と係合したロック状態（図５参照）となっている。この際、ケーシング１９の係合溝２１，２１がハウジング２２の翼部２４，２４に係合し、ストライカ１４とラッチ１３との係合点へずれを作らない。
【００１６】
尚、ポール１０とラッチ１３はハウジング２２に枢支させるが、ハウジング２２内でのポール１０とラッチ１３の遊びを防止し、又、仮にハウジング２２が変形したとしてもポール１０及びラッチ１３の円滑な作動を保証するため、ポール１０とラッチ１３を回動自在に支持するピンにツバを付けるとよい。
又、図２に示すように、ポール１０及びラッチ１３を支持する金属製のベースプレート２７を設け、ハウジング２２をベースプレート２７を覆うカバーとして構成しても良い。さらに、ストライカ１４を直接ハウジング２２の溝底部で受けることなく、ベースプレート２７にストッパゴム２５を配し、ストッパゴム２５でストライカ１４を受けるようにさせるとよい。
加えて、ベースプレート２７の一部にフランジ２６を設けて、ストッパゴム２５の取付けとベースプレート２７の剛性向上を図るとよい。
【００１７】
図３に示すように、ハウジング２２を金属製のベースプレート２７とカバープレート２８とを結合して構成してもよい。ベースプレート２７の両側の翼片２９を、カバープレート２８の両側から側方へ延出する支持片３０にカールさせ、両プレートを固定関係とするとともに、翼部２４，２４を作る。
さらに、両プレート２７，２８の固定関係はポール１０及びラッチ１３を支持するピンを両プレートにかしめ固着することで得る。又、両プレート２７，２８を覆う樹脂製のケースを別に設け、両プレート２７，２８に設けた突部３１でこのケースを保持するようにしても良い。
【図面の簡単な説明】
【図１】ロック装置の一例の斜視図である。
【図２】ストッパゴムを配置した例を示す斜視図である。
【図３】ハウジングの別の例を示す斜視図である。
【図４】ロック装置のアンロック状態を示す平面図である。
【図５】ロック装置のロック状態を示す平面図である。
【図６】（ａ）〜（ｅ）はルーフパネル、リヤウインド、ラッゲージパネルの動きを示す説明図である。
【符号の説明】
４  ラッゲージパネル
１０  ポール
１３  ラッチ
１４  ストライカ
１９  ケーシング
２１  係合溝
２２  ハウジング
２４  翼部
２５  ストッパゴム
２６  フランジ
【図１】
0003586149.tif 000002
【図２】
0003586149.tif 000003
【図３】
0003586149.tif 000004
【図４】
0003586149.tif 000005
【図５】
0003586149.tif 000006
【図６】
0003586149.tif 000007